(57)【要約】【課題】棚板の下方に、棚板と独立にハンガーパイプを取り付ける際に、ハンガーパイプを一時的に支持するハンガーパイプ仮固定治具を提供する。【解決手段】ハンガーパイプ仮固定治具１は、棚板１１の下方に、棚板１１と独立にハンガーパイプ１２をその両端と接する壁面に取り付けるためのものであり、棚板１１を狭持する狭持部３と、ハンガーパイプ１２を支持する支持部４と、棚板１１と当接する当接部２を有し、ハンガーパイプ仮固定治具１を棚板１１に固定し、支持部４でハンガーパイプ１２を支持することで、棚板１１から所定の位置でハンガーパイプ１２を支持できる。また、当接部２が取り外し可能であるとよい。【選択図】    図１
2012055336.tif 000002
【特許請求の範囲】
【請求項１】
棚板の下方に、該棚板と独立にハンガーパイプをその両端と接する壁面に取り付けるためのハンガーパイプ仮固定治具であって、
棚板を狭持する狭持部と、
ハンガーパイプを支持する支持部を有し、
ハンガーパイプ仮固定治具を棚板に固定し、支持部でハンガーパイプを支持することで、棚板から所定の位置でハンガーパイプを支持できることを特徴とするハンガーパイプ仮固定治具。
【請求項２】
前記棚板と当接する当接部を有する請求項１に記載のハンガーパイプ仮固定治具。
【請求項３】
前記当接部が取り外し可能である請求項２に記載のハンガーパイプ仮固定治具。
【請求項４】
前記当接部が緩衝機能を有する請求項２乃至３に記載のハンガーパイプ仮固定治具。
【発明の詳細な説明】
【技術分野】
【０００１】
本発明は、棚板の下方に、棚板と独立にハンガーパイプを取り付ける際に、ハンガーパイプを一時的に支持するハンガーパイプ仮固定治具に関する。
【背景技術】
【０００２】
住宅の押入れやクローゼットなどの内部には、箱物の荷物やハンガーに吊るした衣類を効率的に収納するために、棚板やハンガーパイプが設けられている。
【先行技術文献】
【特許文献】
【０００３】
【特許文献１】特開２００７−２４４６２９号公報
【特許文献２】特開平７−３３１３９号公報
【発明の概要】
【発明が解決しようとする課題】
【０００４】
棚板やハンガーパイプの設置位置は設計図面に示されるが、設計図面の通りに棚板やハンガーパイプを取り付けることは困難であった。特にハンガーパイプは円筒棒状の長尺物で、その両端を壁面に当接させて壁面に固定されるが、棒状の長尺物であるが故に両端部の位置や水平を調整することは難しかった。
【０００５】
また、ハンガーパイプの施工は通常一人で行われることが多く、一方の手でハンガーパイプを持ちながら、他方の手でハンガーパイプを壁面に固定していかなければならず、施工が困難であった。
【０００６】
本発明は、以上のような問題点に鑑み、棚板の下方に、棚板と独立にハンガーパイプを取り付ける際に、ハンガーパイプを一時的に支持するハンガーパイプ仮固定治具を提供することを課題とする。
【課題を解決するための手段】
【０００７】
上記の課題は、棚板の下方に、該棚板と独立にハンガーパイプをその両端と接する壁面に取り付けるためのハンガーパイプ仮固定治具であって、棚板を狭持する狭持部と、ハンガーパイプを支持する支持部を有し、ハンガーパイプ仮固定治具を棚板に固定し、支持部でハンガーパイプを支持することで、棚板から所定の位置でハンガーパイプを支持できることを特徴とするハンガーパイプ仮固定治具により解決される。
【０００８】
このハンガーパイプ仮固定治具は、ハンガーパイプ仮固定治具を狭持部で棚板に狭持して固定し、支持部でハンガーパイプを支持することができるので、棚板から所定の位置でハンガーパイプを支持することができる。このハンガーパイプ仮固定治具を２個以上使用することで、ハンガーパイプを作業者が支持することなく所定の取り付け位置に支持することができるので、作業者はハンガーパイプを所定の取り付け位置に調整して支持する必要がなく、ハンガーパイプの壁面への固定に専念することができる。
【０００９】
ハンガーパイプ仮固定治具が、棚板と当接する当接部を有しているとよい。
【００１０】
当接部を棚板に当接させることで、棚板の当接部分から所定の位置にハンガーパイプを支持することを管理することができる。特に、設計にあったハンガーパイプ仮固定治具を用いることで、棚板に対するハンガーパイプの取り付け位置を測定しなくても、ハンガーパイプ仮固定治具を棚板に当接部を当接させて取り付けるだけで、棚板から所定の取り付け位置にハンガーパイプを支持することができる。
【００１１】
また、ハンガーパイプ仮固定治具の当接部が取り外し可能であるとよい。
【００１２】
ハンガーパイプ仮固定治具の当接部が取り外し可能なので、棚板の形状、ハンガーパイプの取り付け位置などの条件により適切な当接部に取り替えることができるので、棚板の形状やハンガーパイプの取り付け位置などにあわせて異なるハンガーパイプ仮固定治具を揃える必要はなく、それぞれ適切な当接部に取り替えることで、さまざまな種類の棚板やハンガーパイプに対応することができる。
【００１３】
さらに、ハンガーパイプ仮固定治具の当接部が緩衝機能を有しているとよい。
【００１４】
当接部が緩衝機能を有しているので、棚板が当接部と当接しても傷付くことがない。
【発明の効果】
【００１５】
本発明は以上のとおりであるから、棚板の下方に、棚板と独立にハンガーパイプを取り付ける際に、ハンガーパイプを一時的に支持するハンガーパイプ仮固定治具を提供することができる。
【図面の簡単な説明】
【００１６】
【図１】本発明の第１の実施形態であるハンガーパイプ仮固定治具を示す図であって、図（イ）は棚板への取り付け前の状況を示す正面図、図（ロ）は棚板への取り付け後の状況を示す正面図。
【図２】ハンガーパイプ仮固定治具を示す斜視図である。
【図３】ハンガーパイプ仮固定治具の使用方法を説明する図であって、図（イ）は棚板への取り付け方法を説明する正面図、図（ロ）はハンガーパイプの支持方法を説明する正面図である。
【図４】本発明の第２の実施形態であるハンガーパイプ仮固定治具を示す正面図である。
【発明を実施するための形態】
【００１７】
次に、本発明の実施形態を図面に基づいて説明する。
【００１８】
図１、２に示す本発明の実施形態であるハンガーパイプ仮固定治具１において、２は当接部、３は狭持部、４は支持部である。１１はクローゼットに設けられ、その下方にハンガーパイプ１２が設置される棚板である。
【００１９】
ハンガーパイプ仮固定治具１の本体部１０は断面平板状で、棚板１１の前面部１１ａ及び下面部１１ｂに当接し棚板１１に対するハンガーパイプ仮固定治具１の固定位置を確定する当接部２と、当接部２から所定の位置つまり棚板１１の前面部１１ａ及び下面部１１ｂよりハンガーパイプ１２が取り付けられる位置にハンバーパイプ１２を支持するためハンガーパイプ１２の断面形状に凹んだ支持部４を有する。ここでは、ハンガーパイプ１２の取り付け位置を選択できるように支持部が水平方向に２つ設けられている。なお、９はハンガーパイプ仮固定治具１を持ち運ぶための持ち手である。
【００２０】
当接部２は棚板１１の前面部１１ａと当接する当接部２ａと、棚板１１の下面部１１ｂと当接する当接部２ｂからなる。当接部２ａは、棚板１１との固定を安定させるため、棚板１１の前面部１１ａに添うように、本体部１０から左右両方向に直角に屈曲している。また、当接部２ａ，２ｂには、それぞれ棚板と当接した際に棚板を傷つけないための樹脂カバー５，５が取り付けられている。
【００２１】
本体部１０の、当接部２ｂと対向する側には、当接部２ｂとの協働で棚板１１を狭持する狭持部３が取り付けられている。狭持部３は棚板１１へのハンガーパイプ仮固定治具１の固定の解除を行う４軸のヒンジからなる切換部３ａと棚板１１の上面部１１ｃに当接する押圧部３ｂからなる。押圧部３ｂは寸切ボルト３ｃにより狭持部本体に取り付けられており、高さ方向の長さ調整が可能となっている。
【００２２】
図３（イ）に示すように、ハンガーパイプ仮固定治具１の当接部２ａ，２ｂを棚板１１の前面部１１ａ及び下面部１１ｂに当接させ、棚板１１に対するハンガーパイプ仮固定治具１の固定位置を確定させたうえで、狭持部３を操作し、ハンガーパイプ仮固定治具１を棚板１１に固定する。ハンガーパイプ１２を人手による支持なしで保持するために、ハンガーパイプ１２の長尺方向に間隔をあけて、少なくとも２つ以上のハンガーパイプ仮固定治具１を棚板１１に固定するとよい。
【００２３】
次に、図３（ロ）に示すように、ハンガーパイプ仮固定治具１の支持部４，４にハンガーパイプ１２を仮置きし、ハンガーパイプ１２の取り付け位置を確定したうえで、ハンガーパイプ１２の両端部を壁面に当接させてハンガーパイプ１２を壁面に固定する。ハンガーパイプ１２を壁面に固定した後は、狭持部３の固定を解除し、棚板１１よりハンガーパイプ仮固定治具１を取り外せばよい。
【００２４】
このハンガーパイプ仮固定治具１は、ハンガーパイプ仮固定治具１を狭持部３で棚板１１に狭持して固定し、支持部４でハンガーパイプ１２を支持することで、棚板１１から所定の位置でハンガーパイプ１２を支持することができる。このハンガーパイプ仮固定治具１を２個以上利用することで、ハンガーパイプ１２を作業者が支持することなく所定の取り付け位置に仮保持することができるので、作業者はハンガーパイプ１２を所定の取り付け位置に調整して支持する必要がなく、ハンガーパイプ１２の壁面への固定に専念することができる。
【００２５】
当接部２を棚板１１に当接させることで、棚板１１の当接部分から所定の位置にハンガーパイプ１２を支持することを管理することができる。特に、設計にあったハンガーパイプ仮固定治具１を用いることで、棚板１１に対するハンガーパイプ１２の取り付け位置を測定しなくても、ハンガーパイプ仮固定治具１を棚板１１に当接部を当接させて取り付けるだけで、棚板１１から所定の取り付け位置にハンガーパイプ１２を支持することができる。
【００２６】
また、当接部２が樹脂カバー５，５を有しているので、棚板１１が当接部２と当接しても傷付くことがない。
【００２７】
図４に示す本発明の第２の実施形態であるハンガーパイプ仮固定治具２１では、当接部２ａ，２ｂが本体部１０より取り外し可能となっているので、棚板１１の形状、ハンガーパイプ１２の取り付け位置などの条件にあった当接部２を選択し、本体部１０に取り付けることで、さまざまな種類の棚板１１やハンガーパイプ１２に対応することができ、棚板１１とハンガーパイプ１２の形状に合わせて、さまざまな形状のハンガーパイプ仮固定治具を準備することなく、当接部２を取り替えるだけで、さまざまな種類の棚板１１やハンバーパイプ１２に対応することができる。
【００２８】
以上に、本発明の実施形態を示したが、本発明はこれに限られるものではなく、発明思想を逸脱しない範囲で各種の変更が可能である。例えば、上記の実施形態では、本体部１０と支持部４が一体となっている場合について示したが、支持部４が本体部１０に対して取り外し可能であり、棚板に対するハンガーパイプの取り付け位置にあわせて、棚板とハンガーパイプの位置関係にあった任意の支持部に取り替えることで、さまざまな棚板とハンガーパイプを取り付けに対応できるようになされていてもよい。
【００２９】
また、上記実施形態では、狭持部の構造として、４軸のヒンジからなる切換部３ａと寸切ボルト３ｃに固定された押圧部３ｂからなる場合について示したが、狭持部３の構造に限定はなく、ハンガーパイプ仮固定治具が棚板１１に固定できるようになされていれば、その形状、機構について制限はない。
【００３０】
また、上記実施形態では当接部２が、棚板１１の前面部１１ａと当接する当接部２ａと、棚板１１の下面部１１ｂと当接する当接部２ｂの２つからなる場合について示したが、当接部の数は２つである必要はなく、一つであってもよいし、３つ以上であってもよい。
【００３１】
また、上記実施形態では、ハンガーパイプの支持について、棚板に２つ以上のハンガーパイプ仮固定治具を取り付ける場合について示したが、棚板に固定するハンガーパイプ仮固定治具は一つでもよく、その場合は、ハンガーパイプ１２の一方の端部をハンガーパイプ仮固定治具に支持させ、ハンガーパイプ１２の取り付け位置を確定させる目的で使用することができる。
【符号の説明】
【００３２】
１・・・ハンガーパイプ仮固定治具
２・・・当接部
３・・・狭持部
４・・・支持部
５・・・樹脂カバー
１１・・・棚板
１２・・・ハンガーパイプ
【図１】
2012055336.tif 000003
【図２】
2012055336.tif 000004
【図３】
2012055336.tif 000005
【図４】
2012055336.tif 000006